(57)【要約】【課題】  無線信号を高品質に受信可能な受信機を提供する。【解決手段】  受信機１００は、アンテナ装置１０と、切換回路２０と、受信回路３０と、切換制御部４０とを備える。受信回路３０は、アンテナ装置１０からの受信信号を復調して受信信号の受信周波数および受信信号品質ＱＲＳを検出する。そして、受信回路３０は、周波数設定信号ＤＦとしての受信周波数と受信信号品質ＱＲＳとを切換制御部４０へ出力する。切換制御部４０は、テレビジョン信号の受信条件に応じたしきい値を保持し、各伝送モードにおいて、受信信号品質ＱＲＳをしきい値以上に設定するための切換信号ＥＸＣを切換回路２０へ出力する。切換回路２０は、切換信号ＥＸＣに応じてアンテナ１１〜１３と同軸ケーブル１４との接続を切換える。【選択図】        図１
2005217849.tif 000002
【特許請求の範囲】
【請求項１】
無線信号を受信する受信機であって、
前記無線信号を受信する複数のアンテナからなるアンテナ装置と、
前記アンテナ装置により受信された受信信号の受信信号品質をしきい値以上に設定する好適なアンテナを前記複数のアンテナから選択するためのアンテナ選択情報を有し、前記受信信号品質が前記しきい値よりも小さいとき前記アンテナ選択情報に従って前記好適なアンテナに切換えるアンテナ切換手段とを備え、
前記しきい値は、前記無線信号の受信条件に応じて設定される、受信機。
【請求項２】
無線信号を受信する受信機であって、
前記無線信号を受信する複数の指向性を切換え可能なアンテナからなるアンテナ装置と、
前記アンテナ装置により受信された受信信号の受信信号品質をしきい値以上に設定する好適な指向性を前記複数の指向性から選択するためのアンテナ選択情報を有し、前記受信信号品質が前記しきい値よりも小さいとき前記アンテナ選択情報に従って前記好適な指向性に切換えるアンテナ切換手段とを備え、
前記しきい値は、前記無線信号の受信条件に応じて設定される、受信機。
【請求項３】
前記アンテナ選択情報は、前記複数のアンテナまたは前記複数の指向性に付与された優先順位からなり、
前記アンテナ切換手段は、前記受信信号品質が前記しきい値よりも小さいとき前記優先順位に従って前記好適なアンテナまたは前記好適な指向性に切換える、請求項１または請求項２に記載の受信機。
【請求項４】
前記アンテナ選択情報は、前記複数のアンテナまたは前記複数の指向性のうち、前記受信信号品質が所定の順位までのアンテナまたは指向性を指定するアンテナ指定情報からなり、
前記アンテナ切換手段は、前記受信信号品質が前記しきい値よりも小さいとき前記アンテナ指定情報に従って前記好適なアンテナまたは前記好適な指向性に切換える、請求項１または請求項２に記載の受信機。
【請求項５】
前記アンテナ切換手段は、さらに、前記しきい値を所定の範囲で変化させながら前記好適なアンテナまたは前記好適な指向性に切換え、前記受信信号品質が最も高くなるときの値を前記しきい値として決定するしきい値決定処理を行なう、請求項１から請求項４のいずれか１項に記載の受信機。
【請求項６】
前記アンテナ切換手段は、前記受信信号品質が前記しきい値よりも低い低しきい値をＮ（Ｎは自然数）回以上下回ったとき、前記しきい値決定処理を行なう、請求項５に記載の受信機。
【請求項７】
前記無線信号は、テレビジョン信号であり、
前記アンテナ切換手段は、前記テレビジョン信号を復調した所定数の画像データからなるフレームに同期して前記好適なアンテナまたは前記好適な指向性に切換える、請求項１から請求項６のいずれか１項に記載の受信機。
【請求項８】
前記アンテナ切換手段は、前記好適なアンテナまたは前記好適な指向性に切換えると、アンテナまたは指向性の切換えを一定期間停止する、請求項１から請求項６のいずれか１項に記載の受信機。
【請求項９】
前記無線信号は、テレビジョン信号であり、
前記アンテナ切換手段は、前記テレビジョン信号を復調した所定数の画像データを表示する画面の切換期間に前記好適なアンテナまたは前記好適な指向性に切換える、請求項１から請求項６のいずれか１項に記載の受信機。
【請求項１０】
前記無線信号は、アナログテレビジョン信号であり、
前記画面の切換期間は、垂直帰線期間である、請求項９に記載の受信機。
【発明の詳細な説明】
【技術分野】
【０００１】
この発明は、空間ダイバーシティまたは指向性ダイバーシティによってテレビジョン信号などの無線信号を受信して復号する受信機に関するものである。
【背景技術】
【０００２】
高品質な無線信号を受信するためにアンテナの特性を切換えるダイバーシティが行なわれている。このダイバーシティには、空間的ダイバーシティおよび指向性ダイバーシティ等がある。
【０００３】
空間ダイバーシティは、空間的に離れた位置に複数のアンテナを配置し、無線信号を受信するアンテナを複数のアンテナ間で切換えることによって無線信号を受信するものである。また、指向性ダイバーシティは、互いに異なる指向性を有する複数のアンテナにおいて指向性を切換えることによって無線信号を受信するものである。
【０００４】
そして、空間ダイバーシティおよび指向性ダイバーシティにおいては、受信信号の品質、たとえば、受信信号強度がしきい値を下回った場合にアンテナまたは指向性を切換える（非特許文献１）。
【非特許文献１】太郎丸  真、赤岩  芳彦，”ＴＤＭＡ移動通信におけるアンテナ切換えダイバーシチの理論特性”，電子情報通信学会論文誌，Ｂ−ＩＩ  Ｖｏｌ．Ｊ８０−Ｂ−１１，Ｎｏ．９  ｐｐ．８０５−８０８，１９９７年７月
【発明の開示】
【発明が解決しようとする課題】
【０００５】
しかし、従来のダイバーシティにおいてアンテナまたは指向性を切換えるときのしきい値は固定されているため無線信号を高品質に受信できない可能性がある。
【０００６】
そこで、この発明は、かかる問題を解決するためになされたものであり、その目的は、無線信号を高品質に受信可能な受信機を提供することである。
【課題を解決するための手段】
【０００７】
この発明によれば、受信機は、無線信号を受信する受信機であって、アンテナ装置と、アンテナ切換手段とを備える。アンテナ装置は、無線信号を受信する複数のアンテナからなる。アンテナ切換手段は、アンテナ装置により受信された受信信号の受信信号品質をしきい値以上に設定する好適なアンテナを複数のアンテナから選択するためのアンテナ選択情報を有し、受信信号品質がしきい値よりも小さいときアンテナ選択情報に従って好適なアンテナに切換える。そして、しきい値は、無線信号の受信条件に応じて設定される。
【０００８】
また、この発明によれば、受信機は、無線信号を受信する受信機であって、アンテナ装置と、アンテナ切換手段とを備える。アンテナ装置は、無線信号を受信する複数の指向性を切換え可能なアンテナからなる。アンテナ切換手段は、アンテナ装置により受信された受信信号の受信信号品質をしきい値以上に設定する好適な指向性を複数の指向性から選択するためのアンテナ選択情報を有し、受信信号品質がしきい値よりも小さいときアンテナ選択情報に従って好適な指向性に切換える。そして、しきい値は、無線信号の受信条件に応じて設定される。
【０００９】
好ましくは、アンテナ選択情報は、複数のアンテナまたは複数の指向性に付与された優先順位からなる。そして、アンテナ切換手段は、受信信号品質が前記しきい値よりも小さいとき優先順位に従って好適なアンテナまたは好適な指向性に切換える。
【００１０】
好ましくは、アンテナ選択情報は、複数のアンテナまたは複数の指向性のうち、受信信号品質が所定の順位までのアンテナまたは指向性を指定するアンテナ指定情報からなる。そして、アンテナ切換手段は、受信信号品質がしきい値よりも小さいときアンテナ指定情報に従って好適なアンテナまたは好適な指向性に切換える。
【００１１】
好ましくは、アンテナ切換手段は、さらに、しきい値を所定の範囲で変化させながら好適なアンテナまたは好適な指向性に切換え、受信信号品質が最も高くなるときの値を前記しきい値として決定するしきい値決定処理を行なう。
【００１２】
好ましくは、アンテナ切換手段は、受信信号品質がしきい値よりも低い低しきい値をＮ（Ｎは自然数）回以上下回ったとき、しきい値決定処理を行なう。
【００１３】
好ましくは、無線信号は、テレビジョン信号である。アンテナ切換手段は、テレビジョン信号を復調した所定数の画像データからなるフレームに同期して好適なアンテナまたは好適な指向性に切換える。
【００１４】
好ましくは、アンテナ切換手段は、好適なアンテナまたは好適な指向性に切換えると、アンテナまたは指向性の切換えを一定期間停止する。
【００１５】
好ましくは、無線信号は、テレビジョン信号である。アンテナ切換手段は、テレビジョン信号を復調した所定数の画像データを表示する画面の切換期間に好適なアンテナまたは好適な指向性に切換える。
【００１６】
好ましくは、無線信号は、アナログテレビジョン信号である。そして、画面の切換期間は、垂直帰線期間である。
【発明の効果】
【００１７】
この発明による受信機においては、無線信号の受信条件に応じてしきい値が設定される。そして、各伝送モードにおいて受信信号の品質を表す受信信号品質が設定されたしきい値以上になるように、無線信号を受信するアンテナが切換えられる。
【００１８】
したがって、この発明によれば、無線信号を高品質に受信できる。
【発明を実施するための最良の形態】
【００１９】
本発明の実施の形態について図面を参照しながら詳細に説明する。なお、図中同一または相当部分には同一符号を付してその説明を繰返さない。
【００２０】
図１は、この発明の実施の形態による受信機の概略ブロック図である。図１を参照して、この発明の実施の形態による受信機１００は、アンテナ装置１０と、切換回路２０と、受信回路３０と、切換制御部４０とを備える。
【００２１】
受信機１００は、例えば、室内に設置されたテレビジョン、携帯型のテレビジョンおよび車に搭載されたテレビジョンに含まれる受信機である。そして、受信機１００は、受信周波数ｆ１〜ｆｍ（ｍは、自然数）からなる周波数帯域を伝搬するテレビジョン信号を受信する。
【００２２】
アンテナ装置１０は、アンテナ１１〜１３からなる。アンテナ１１〜１３は、空間ダイバーシティまたは指向性ダイバーシティの対象となるアンテナである。空間ダイバーシティの対象となる場合、アンテナ１１〜１３は、相互に異なる受信特性を有し、空間的に離れた位置に配置されるアンテナである。また、指向性ダイバーシティの対象となる場合、アンテナ１１〜１３は、相互に異なる指向性を有するアンテナである。そして、アンテナ１１〜１３は、切換回路２０に接続される。
【００２３】
切換回路２０は、同軸ケーブル１４によって受信回路３０に接続される。そして、切換回路２０は、切換制御回路４０からの保持信号ＨＬＤに応じて、現在、使用されているアンテナ（アンテナ１１〜１３のいずれか）と同軸ケーブル１４との接続を保持し、切換信号ＥＸＣに応じて、現在、使用されているアンテナ（アンテナ１１〜１３のいずれか）と同軸ケーブル１４との接続を切換信号ＥＸＣによって示されるアンテナ（アンテナ１１〜１３のいずれか）と同軸ケーブル１４との接続に切換える。
【００２４】
受信回路３０は、切換回路２０を介してアンテナ装置１０から受信信号を受け、その受けた受信信号を復調して復調信号を出力する。また、受信回路３０は、受信信号の周波数を検出し、その検出した周波数を周波数設定信号ＤＦとして切換制御部４０へ出力する。さらに、受信回路３０は、受信信号の品質を示す受信信号品質ＱＲＳおよびテレビジョン信号の伝送モードを示す伝送モード検知信号ＴＭＤＥを生成して切換制御部４０へ出力する。
【００２５】
切換制御部４０は、メモリ４１を内蔵する。図２は、図１に示すメモリ４１が記憶するテーブルの概略図である。図２を参照して、テーブルＴＢＬは、伝送モードＭＤＥ１，２と、受信周波数ｆ１〜ｆｍと、アンテナ選択情報ＩＦ（ＡＮＴ１１〜１３）ｆ１〜ＩＦ（ＡＮＴ１１〜１３）ｆｍとからなる。受信周波数ｆ１〜ｆｍは、伝送モードＭＤＥ１，２の各々において設定される。そして、アンテナ選択情報ＩＦ（ＡＮＴ１１〜１３）ｆ１〜ＩＦ（ＡＮＴ１１〜１３）ｆｍは、受信周波数ｆ１〜ｆｍに対応して設けられる。
【００２６】
アンテナ選択情報ＩＦ（ＡＮＴ１１〜１３）ｆ１〜ＩＦ（ＡＮＴ１１〜１３）ｆｍは、受信信号品質ＱＲＳをしきい値Ｑｔｈ以上に設定する好適なアンテナをアンテナ１１〜１３から選択する優先順位からなる。また、アンテナ選択情報ＩＦ（ＡＮＴ１１〜１３）ｆ１〜ＩＦ（ＡＮＴ１１〜１３）ｆｍは、アンテナ１１〜１３のうち、受信信号品質ＱＲＳが所定の順位までのアンテナ１１，１２を指定するアンテナ指定情報からなる。
【００２７】
このように、メモリ４１は、受信信号品質ＱＲＳをしきい値Ｑｔｈ以上に設定する好適なアンテナを選択するためのアンテナ選択情報ＩＦ（ＡＮＴ１１〜１３）ｆ１〜ＩＦ（ＡＮＴ１１〜１３）ｆｍを各伝送モードおよび各周波数ｆ１〜ｆｍに対応付けたテーブルＴＢＬを記憶する。
【００２８】
再び、図１を参照して、メモリ４１は、受信回路３０から伝送モード検知信号ＴＭＤＥおよび周波数設定信号ＤＦを受け、その受けた伝送モード検知信号ＴＭＤＥおよび周波数設定信号ＤＦによって示される伝送モード（伝送モードＭＤＥ１，２のいずれか）および受信周波数（受信周波数ｆ１〜ｆｍのいずれか）に対応するアンテナ選択情報（アンテナ選択情報ＩＦ（ＡＮＴ１１〜１３）ｆ１〜ＩＦ（ＡＮＴ１１〜１３）ｆｍのいずれか）をテーブルＴＢＬから読出し、その読出したアンテナ選択情報を切換制御部４０へ出力する。
【００２９】
切換制御部４０は、しきい値Ｑｔｈを保持し、受信回路３０から受信信号品質ＱＲＳを受ける。そして、切換制御部４０は、受信信号品質ＱＲＳをしきい値Ｑｔｈと比較し、受信信号品質ＱＲＳがしきい値Ｑｔｈ以上であるとき、保持信号ＨＬＤを生成して切換回路２０へ出力する。また、切換制御部４０は、受信信号品質ＱＲＳがしきい値Ｑｔｈよりも低いとき、メモリ４１からのアンテナ選択情報ＩＦ（ＡＮＴ１１〜１３）ｆ１〜ＩＦ（ＡＮＴ１１〜１３）ｆｍに従って受信信号品質ＱＲＳがしきい値Ｑｔｈ以上になるアンテナを選択し、現在、使用しているアンテナ（アンテナ１１〜１３のいずれか）をその選択したアンテナに切換えるための切換信号ＥＸＣを生成して切換回路２０へ出力する。
【００３０】
図３は、図１に示す受信回路３０の第１の例の概略ブロック図である。図３を参照して、受信回路３０の第１の例である受信回路３０Ａは、チューナー部２３と、中間周波増幅部２４と、直交復調器２５と、ＦＦＴ（Ｆａｓｔ  Ｆｏｕｒｉｅｒ  Ｔｒａｎｓｆｏｒｍ）部２６と、識別部２７と、パイロット信号検出部２８とを含む。なお、受信回路３０Ａは、アンテナ装置１０に到来する無線信号がデジタルテレビジョン信号からなる場合の受信回路である。そして、デジタルテレビジョン信号は、直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ）によって変調されたデジタル信号である。
【００３１】
チューナー部２３は、同軸ケーブル１４から受信信号を受け、その受けた受信信号に対して高周波増幅および周波数変換等を行ない、受信信号の周波数を検出するとともに、変換後の受信信号を中間周波増幅部２４へ出力する。また、チューナー部２３は、検出した受信信号の周波数を周波数設定信号ＤＦとして切換制御部４０のメモリ４１へ出力する。
【００３２】
中間周波増幅部２４は、チューナー部２３からの受信信号を受け、その受けた受信信号を増幅して受信信号強度ＲＳＳＩを検出する。そして、中間周波増幅部２４は、検出した受信信号強度ＲＳＳＩを受信信号品質ＱＲＳとして切換制御部４０へ出力し、増幅後の受信信号を直交復調器２５へ出力する。
【００３３】
直交復調器２５は、中間周波増幅部２４から受けた直交周波数分割多重方式によって変調された信号の直交変調を復調してＦＦＴ部２６へ出力する。
【００３４】
ＦＦＴ部２６は、直交復調器２５からの信号を高速フーリエ変換し、その変換後の信号を識別部２７およびパイロット信号検出部２８へ出力する。
【００３５】
識別部２７は、ＦＦＴ部２６からの信号に対して誤り訂正を行ない、受信信号のエラーレートＥＲＲを検出するとともに、誤り訂正後の信号を受信データとして出力する。また、識別部２７は、ＦＦＴ部２６からの信号に基づいて伝送モードを検出し、伝送モード検知信号ＴＭＤＥを生成すると同時に、検出したエラーレートＥＲＲを受信信号品質ＱＲＳとして切換制御部４０へ出力し、生成した伝送モード検知信号ＴＭＤＥを切換制御部４０のメモリ４１へ出力する。
【００３６】
パイロット信号検出部２８は、ＦＦＴ部２６からの信号に含まれているパイロット信号ＰＬＴを検出し、その検出したパイロット信号ＰＬＴを受信信号品質ＱＲＳとして切換制御部４０へ出力する。なお、パイロット信号ＰＬＴは、直交周波数分割多重方式における特定サブキャリアに割り当てられ、音声データおよび画像データを表示しない信号である。
【００３７】
このように、受信回路３０Ａは、アンテナ装置１０が受信した受信信号を同軸ケーブル１４を介して受け、その受けた受信信号を増幅および復調等して受信データを出力するとともに、受信データを得る過程で検出した受信信号強度ＲＳＳＩ、エラーレートＥＲＲ、およびパイロット信号ＰＬＴを受信信号品質ＱＲＳとして切換制御部４０へ出力する。
【００３８】
図４は、図１に示す受信回路３０の第２の例の概略ブロック図である。図４を参照して、受信回路３０の第２の例である受信回路３０Ｂは、チューナー部２３と、中間周波増幅部２４と、映像検波部３１と、色副搬送波再生回路３２と、カラー映像信号復調部３３とを含む。なお、受信回路３０Ｂは、アンテナ装置１０に到来する無線信号がアナログテレビジョン信号からなる場合の受信回路である。
【００３９】
チューナー部２３は、同軸ケーブル１４からＮＴＳＣコンポジット信号を受け、その受けたＮＴＳＣコンポジット信号に対して高周波増幅および周波数変換等を行ない、ＮＴＳＣコンポジット信号の周波数を検出するとともに、変換後のＮＴＳＣコンポジット信号を中間周波増幅部２４へ出力する。また、チューナー部２３は、検出したＮＴＳＣコンポジット信号の周波数を周波数設定信号ＤＦとして切換制御部４０のメモリ４１へ出力する。
【００４０】
中間周波増幅部２４は、チューナー部２３からのＮＴＳＣコンポジット信号を受け、その受けたＮＴＳＣコンポジット信号を増幅して受信信号強度ＲＳＳＩを検出する。そして、中間周波増幅部２４は、検出した受信信号強度ＲＳＳＩを受信信号品質ＱＲＳとして切換制御部４０へ出力し、増幅後のＮＴＳＣコンポジット信号を映像検波部３１へ出力する。
【００４１】
映像検波部３１は、中間周波増幅部２４からのＮＴＳＣコンポジット信号を受け、その受けたＮＴＳＣコンポジット信号を振幅復調してコンポジット信号を検出する。そして、映像検波部３１は、検出したコンポジット信号を色副搬送波再生回路３２およびカラー映像信号復調部３３へ出力する。
【００４２】
色副搬送波再生回路３２は、映像検波部３１からのコンポジット信号に含まれている３．５８ＭＨｚのカラーバースト信号ＣＢＲＳを検出し、その検出したカラーバースト信号ＣＢＲＳを受信信号品質ＱＲＳとして切換制御部４０へ出力する。そして、色副搬送波再生回路３２は、検出したカラーバースト信号ＣＢＲＳを用いてコンポジット信号に含まれる３．５８ＭＨｚの色副搬送波を再生し、色副搬送波に同期した色副搬送波信号を生成してカラー映像信号復調部３３へ出力する。
【００４３】
カラー映像信号復調部３３は、色副搬送波再生回路３２からの色副搬送波信号を用いて映像検波部３１からのコンポジット信号を直交復調し、カラー映像信号を出力する。
【００４４】
このように、受信回路３０Ｂは、アンテナ装置１０が受信したＮＴＳＣコンポジット信号を同軸ケーブル１４を介して受け、その受けたＮＴＳＣコンポジット信号を増幅および復調等してカラー映像信号を出力するとともに、カラー映像信号を得る過程で検出した受信信号強度ＲＳＳＩおよびカラーバースト信号ＣＢＲＳを受信信号品質ＱＲＳとして切換制御部４０へ出力する。
【００４５】
したがって、この発明においては、受信信号品質ＱＲＳは、
（ａ）無線信号の受信信号強度ＲＳＳＩ
（ｂ）無線信号のビットエラーレート
（ｃ）フレームエラー
（ｄ）パイロット信号の検出有無またはパイロット信号の検出レベル
（ｅ）カラーバースト信号の検出有無
（ｆ）受信信号強度ＲＳＳＩと（ａ）〜（ｅ）のいずれかとの論理積
のいずれかからなる。
【００４６】
受信信号強度ＲＳＳＩが小さいと、テレビの画面は乱れるので、受信信号強度ＲＳＳＩは、受信信号品質ＱＲＳを表わす。ビットエラーレートが大きいと、テレビの画面は劣化するので、ビットエラーレートは、受信信号品質ＱＲＳを表わす。
【００４７】
フレームは、所定数の画面を集めたものであり、フレームエラーがＮ回以上継続して検出されると、画面は劣化する。したがって、フレームエラーがＮ回以上継続したことの検出有無は、受信信号品質ＱＲＳを表わす。なお、フレームエラーがＮ回以上継続したか否かは、Ｎ個のフレームを復調して画面に表示する場合に、切換制御部４０がＮ個のフレームの各々の復調時に受信回路３０ＡからエラーレートＥＲＲを受けたか否かを判定することにより行なう。
【００４８】
パイロット信号ＰＬＴは、上述したように、直交周波数分割多重方式ＯＦＤＭにおける特定サブキャリアに割り当てられ、音声データおよび画像データを表示しない信号であるので、パイロット信号ＰＬＴの検出有無またはパイロット信号ＰＬＴの検出レベルは、デジタルテレビジョン信号からなる無線信号の受信信号品質を表わす。
【００４９】
カラーバースト信号ＣＢＲＳは、上述したように、アナログテレビジョン信号に含まれ、カラー画像を表示するための信号であるので、受信したアナログテレビジョン信号の中にカラーバースト信号ＣＢＲＳが含まれているときは受信信号の品質は高いが、受信したアナログテレビジョン信号の中にカラーバースト信号ＣＢＲＳが含まれていないときは、受信信号の品質は低い。したがって、アナログテレビジョン信号におけるカラーバースト信号ＣＢＲＳの有無は受信信号品質ＱＲＳを表わす。
【００５０】
受信回路３０は、受信信号品質ＱＲＳとして上述した（ａ）〜（ｆ）のいずれかを切換制御部４０へ出力する。そして、切換制御部４０は、（ａ）〜（ｆ）のいずれかを受信信号品質ＱＲＳとして受け、その受けた受信信号品質ＱＲＳをしきい値Ｑｔｈと比較する。
【００５１】
この場合、しきい値Ｑｔｈは、可変値からなる。切換制御部４０は、しきい値Ｑｔｈを無線信号の受信条件、すなわち、無線信号の変調方式または伝送速度に対応するしきい値Ｑｔｈを保持している。そして、切換制御部４０は、受信回路３０から受けた伝送モード検知信号ＴＭＤＥに基づいて変調方式または伝送速度を決定し、その決定した変調方式または伝送速度に対応するしきい値をしきい値Ｑｔｈとして設定する。
【００５２】
変調方式または伝送速度に対応するしきい値は、受信機１００の設計時または受信機１００の出荷時に切換制御部４０に設定される。
【００５３】
また、切換制御部４０は、しきい値決定処理によって各変調方式または伝送速度に対してしきい値を決定し、その決定したしきい値をしきい値Ｑｔｈとして設定してもよい。このしきい値決定処理は、しきい値を所定の範囲で変化させながらアンテナ１１〜１３と同軸ケーブル１４との接続を切換え、そのときの受信信号品質ＱＲＳが最も高くなるようにしきい値を決定する処理である。
【００５４】
そして、切換制御部４０は、このしきい値決定処理を次に示す各タイミングにおいて行なう。
【００５５】
（ＧＴ１）受信信号品質ＱＲＳがしきい値Ｑｔｈよりも低い低しきい値Ｑｔｈ＿ＬをＮ（Ｎは自然数）回以上下回ったとき
（ＧＴ２）受信機１００の移動を検出したとき
（ＧＴ３）無線信号の伝送モードＴＭＤＥが切換えられたとき
（ＧＴ４）受信周波数（チャネル）が切換えられたとき
なお、受信機１００の移動は、受信機１００に加速度が生じたこと、地磁気に対して受信機１００の方向が変わったこと、およびＧＰＳ（Ｇｌｏｂａｌ  Ｐｏｓｉｔｉｏｎｉｎｇ  Ｓｙｓｔｅｍ）によって受信機１００の位置が変化したことのいずれかを検出することによって検知される。
【００５６】
切換制御部４０によるアンテナ１１〜１３の切換タイミングについて説明する。切換制御部４０は、次に示す切換タイミングによってアンテナ１１〜１３を切換える。
【００５７】
（Ｔ１）一度切換えた後の一定期間経過後
（Ｔ２）フレームに同期したタイミング
（Ｔ３）垂直帰線期間
一度切換えた後の一定期間経過後のタイミングは、アンテナの切換えが一度生じた後に、アンテナを頻繁に切換えると、切換雑音の頻発を回避するために、一度切換えが生じた後は、一定期間経過後にアンテナ１１〜１３を切換えることにしたものである。
【００５８】
また、フレームに同期したタイミングは、画面表示のタイミングに同期してリアクタンス値を切換えるものである。
【００５９】
さらに、垂直帰線期間は、無線信号がアナログテレビジョン信号からなる場合に、画面が切換わる間にリアクタンス値を切換えるものである。この場合、切換制御部４０は、表示部（画面）から垂直帰線信号を受け、その受けた垂直帰線信号に基づいて画面が切換わる期間を検出する。
【００６０】
受信機１００の全体動作について説明する。
【００６１】
デジタルテレビジョン信号またはアナログテレビジョン信号からなる無線信号が受信機１００へ到来すると、アンテナ装置１０は、各伝送モードＭＤＥ１，２および各周波数ｆ１〜ｆｍ毎に設定されたアンテナ選択情報ＩＦ（ＡＮＴ１１〜１３）ｆ１〜ＩＦ（ＡＮＴ１１〜１３）ｆｍによってアンテナ１１〜１３を切換えてテレビジョン信号を受信し、その受信した受信信号を同軸ケーブル１４を介して受信回路３０へ出力する。
【００６２】
受信回路３０は、デジタルテレビジョン信号の場合、受信回路３０Ａによって上述した動作に従って受信信号を復調して復調信号（受信データ）を出力するとともに、受信信号品質ＱＲＳ、伝送モード検知信号ＴＭＤＥおよび周波数設定信号ＤＦを検出し、その検出した受信信号品質ＱＲＳ、伝送モード検知信号ＴＭＤＥおよび周波数設定信号ＤＦを切換制御部４０へ出力する。
【００６３】
メモリ４１は、伝送モード検知信号ＴＭＤＥによって示される伝送モードＭＤＥ１，２において、周波数設定信号ＤＦによって表わされる受信周波数（受信周波数ｆ１〜ｆｍのいずれか）に対応するアンテナ選択情報（アンテナ選択情報ＩＦ（ＡＮＴ１１〜１３）ｆ１〜ＩＦ（ＡＮＴ１１〜１３）ｆｍのいずれか）をテーブルＴＢＬから読出し、その読出したアンテナ選択情報を切換制御部４０へ出力する。
【００６４】
切換制御部４０は、受信回路３０からの受信信号品質ＱＲＳを、受信条件（伝送モードまたは伝送速度）に対応して決定されたしきい値Ｑｔｈと比較する。そして、切換制御部４０は、受信信号品質ＱＲＳがしきい値Ｑｔｈ以上であるとき、上述したタイミング（Ｔ１）〜（Ｔ３）のいずれかのタイミングで保持信号ＨＬＤを切換回路２０へ出力し、受信信号品質ＱＲＳがしきい値Ｑｔｈよりも小さいとき、メモリ４１からのアンテナ選択情報に従って受信信号品質ＱＲＳがしきい値Ｑｔｈ以上になるアンテナを選択し、その選択したアンテナに切換えるための切換信号ＥＸＣを上述したタイミング（Ｔ１）〜（Ｔ３）のいずれかのタイミングで生成して切換回路２０へ出力する。
【００６５】
そして、切換回路２０は、切換制御部４０からの保持信号ＨＬＤに応じてアンテナ（アンテナ１１〜１３のいずれか）と同軸ケーブル１４との接続を維持し、切換信号ＥＸＣに応じて、アンテナ（アンテナ１１〜１３のいずれか）と同軸ケーブル１４との接続を切換信号ＥＸＣによって示されるアンテナと同軸ケーブル１４との接続に切換える。これによって、アンテナ装置１０のアンテナは、受信信号品質ＱＲＳがしきい値Ｑｔｈ以上になるように各伝送モードおよび各周波数ｆ１〜ｆｍにおいて切換えられる。
【００６６】
そして、受信機１００は、受信信号品質ＱＲＳが、到来する無線信号の受信条件に応じて決定されたしきい値Ｑｔｈ以上になるように無線信号（デジタルテレビジョン信号またはアナログテレビジョン信号）を受信して復調できる。その結果、受信機１００は、受信条件が変化しても無線信号を感度良く受信できる。
【００６７】
また、切換制御部４０は、上述した（ＧＴ１）〜（ＧＴ４）のいずれかのタイミングでしきい値決定処理を行なう。これによって、しきい値Ｑｔｈを随時更新しながら、無線信号を各伝送モードで高感度に受信できる。
【００６８】
なお、切換回路２０および切換制御部４０は、「アンテナ切換手段」を構成する。
【００６９】
また、上記においては、アンテナ選択情報ＩＦ（ＡＮＴ１１〜１３）ｆ１〜ＩＦ（ＡＮＴ１１〜１３）ｆｍは、受信信号品質ＱＲＳをしきい値Ｑｔｈ以上に設定する好適なアンテナをアンテナ１１〜１３から選択する優先順位、またはアンテナ１１〜１３のうち、受信信号品質ＱＲＳが所定の順位までのアンテナ１１，１２を指定するアンテナ指定情報からなると説明したが、アンテナ装置１０が、１本の給電素子と１本の無給電素子とからなる電気的に指向性を切換え可能なアレーアンテナである場合、アンテナ選択情報ＩＦ（ＡＮＴ１１〜１３）ｆ１〜ＩＦ（ＡＮＴ１１〜１３）ｆｍは、受信信号品質ＱＲＳをしきい値Ｑｔｈ以上に設定する好適な指向性を複数の指向性から選択する優先順位、または複数の指向性のうち、受信信号品質ＱＲＳが所定の順位までの指向性を指定する指向性指定情報からなる。
【００７０】
さらに、上記においては、テレビジョン信号を受信するテレビジョン受信機について説明したが、この発明は、これに限らず、テレビジョン受信機以外の一般の受信機に適用されてもよい。一般の受信機としては、車に搭載されるＦＭラジオ受信機および携帯電話の受信機（移動局装置の受信回路）等がある。
【００７１】
この発明が一般の受信機に適用される場合、受信機の構成は、図１に示す構成と同じであり、受信信号品質ＱＲＳとして、上述した（ａ），（ｂ），（ｃ），（ｄ）および（ｆ）のいずれかを用いることができる。この場合、（ｃ）のフレームエラーは、数十〜数千ビットを単位としたデータブロックにおけるビット誤りの発生を言う。また、切換制御部３０は、上述した切換タイミング（Ｔ１）および（Ｔ２）のいずれかによってスイッチＳ１，Ｓ２を切換える。
【００７２】
一般に、無線伝送方式においては、送信信号が停止し、または特定の既知信号で変調され、かつ、情報データが伝送されないガードタイムまたはプリアンブル期間がフレーム単位で設けられることが多い。従って、スイッチＳ１，Ｓ２の切換タイミングをガードタイムまたはプリアンブル期間に設定することによって、受信信号品質ＱＲＳが良好となる。
【００７３】
また、無線信号が誤り訂正符号を付加して伝送される伝送方式の場合、受信信号品質ＱＲＳとして、誤り訂正符号の復号処理時に得られる尤度情報もしくはシンドローム数を用いてもよい。この場合、フェージングによって受信状態が悪化すると、誤り訂正前にビット誤りが発生しても、誤り訂正がなされ、また、結果的に正しく復号されている状態であっても尤度情報もしくはシンドローム数の変化を検知し、アンテナを切換えることができる。従って、誤り訂正の限界を超えて誤りが発生し、結果的に誤りが残ってしまう受信状態に陥らない状態において誤りが発生する前にアンテナ切換を起動することが可能となり、受信性能がさらに良好になる。
【００７４】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００７５】
この発明は、無線信号を高品質に受信可能な受信機に適用される。
【図面の簡単な説明】
【００７６】
【図１】この発明の実施の形態による受信機の概略ブロック図である。
【図２】図１に示すメモリが記憶するテーブルの概略図である。
【図３】図１に示す受信回路の第１の例の概略ブロック図である。
【図４】図１に示す受信回路の第２の例の概略ブロック図である。
【符号の説明】
【００７７】
１０  アンテナ装置、１１〜１３  アンテナ、１４  同軸ケーブル、２０  切換回路、２３  チューナー部、２４  中間周波増幅部、２５  直交復調器、２６  ＦＦＴ部、２７  識別部、２８  パイロット信号検出部、３０，３０Ａ，３０Ｂ  受信回路、３１  映像検波部、３２  色副搬送波再生回路、３３  カラー映像信号復調部、４０  切換制御部、４１  メモリ、１００  受信機。
【図１】
2005217849.tif 000003
【図２】
2005217849.tif 000004
【図３】
2005217849.tif 000005
【図４】
2005217849.tif 000006